(57)【要約】  情報再生装置（２００）は、第１媒体リージョン情報（１１０）が割り当てられる第１記録層（Ｌ０）と、第２媒体リージョン情報（１２０）が割り当てられる第２記録層（Ｌ１）とを備える情報記録媒体（１００）に記録された記録情報を再生する再生手段（２０２、２０５、２０６）と、装置リージョン情報（２３０）を格納する格納手段（２０９）と、第１媒体リージョン情報と装置リージョン情報とが一致しない場合に、第２媒体リージョン情報と装置リージョン情報とが一致するか否かを判定する判定手段（２０７）と、第２媒体リージョン情報と装置リージョン情報とが一致する場合、第２の記録層に記録された記録情報を再生するように再生手段を制御する制御手段（２０７）とを備える。
2007119813.tif 000002
【特許請求の範囲】
【請求項１】
第１の媒体リージョン情報が割り当てられる第１記録層（ＢＤ層）と、第２の媒体リージョン情報が割り当てられる第２記録層（ＤＶＤ層）とを備える情報記録媒体に記録された記録情報を再生する再生手段と、
装置リージョン情報を格納する格納手段と、
前記第１の媒体リージョン情報と前記装置リージョン情報とが一致しない場合に、前記第２の媒体リージョン情報と前記装置リージョン情報とが一致するか否かを判定する第１判定手段と、
前記第２の媒体リージョン情報と前記装置リージョン情報とが一致すると判定された場合、前記第２記録層に記録された前記記録情報を再生するように前記再生手段を制御する第１制御手段と
を備えることを特徴とする情報再生装置。
【請求項２】
前記第１の媒体リージョン情報と前記装置リージョン情報とが一致するか否かを判定する第２判定手段と、
前記第１の媒体リージョン情報が前記装置リージョン情報と一致すると判定された場合、前記第１記録層に記録された前記記録情報を再生するように前記再生手段を制御する第２制御手段と
を更に備えることを特徴とする請求の範囲第１項に記載の情報再生装置。
【請求項３】
前記第１判定手段は、前記第２判定手段が前記第１の媒体リージョン情報と前記装置リージョン情報とが一致するか否かを判定した後に、前記第２の媒体リージョン情報と前記装置リージョン情報とが一致するか否かを判定することを特徴とする請求の範囲第２項に記載の情報再生装置。
【請求項４】
前記第２判定手段は、前記情報記録媒体に記録されるプログラムが当該情報再生装置上において実行されることにより実現されることを特徴とする請求の範囲第２項に記載の情報再生装置。
【請求項５】
前記第１記録層には、複数の前記第１の媒体リージョン情報が割り当てられ、前記第２記録層には、複数の前記第２の媒体リージョン情報が割り当てられ、
前記第１判定手段は、前記複数の第１の媒体リージョン情報の夫々と前記装置リージョン情報とが一致しない場合に、前記複数の第２の媒体リージョン情報の少なくとも一つと前記装置リージョン情報とが一致するか否かを判定し、
前記第１制御手段は、前記複数の第２の媒体リージョン情報の少なくとも一つと前記装置リージョン情報とが一致すると判定された場合、前記第２記録層に記録された前記記録情報を再生するように前記再生手段を制御することを特徴とする請求の範囲第１項に記載の情報再生装置。
【請求項６】
前記第２の媒体リージョン情報と前記装置リージョン情報とが一致すると判定された場合に、前記第２記録層に記録された前記記録情報を再生するか否かを指示する指示手段を更に備え、
前記第１制御手段は、前記第２記録層に記録された前記記録情報を再生すると指示された場合に、前記第２記録層に記録された前記記録情報を再生するように前記再生手段を制御することを特徴とする請求の範囲第１項に記載の情報再生装置。
【請求項７】
第１の媒体リージョン情報が割り当てられる第１記録層と、第２の媒体リージョン情報が割り当てられる第２記録層とを備える情報記録媒体に記録された記録情報を再生する再生手段と、装置リージョン情報を格納する格納手段とを備える情報再生装置における情報再生方法であって、
前記第１の媒体リージョン情報と前記装置リージョン情報とが一致しない場合に、前記第２の媒体リージョン情報と前記装置リージョン情報とが一致するか否かを判定する第１判定工程と、
前記第２の媒体リージョン情報と前記装置リージョン情報とが一致すると判定された場合、前記第２の記録層に記録された前記記録情報を再生するように前記再生手段を制御する第１制御工程と
を備えることを特徴とする情報再生方法。
【請求項８】
請求の範囲第１項に記載の情報記録装置に備えられたコンピュータを制御する記録制御用のコンピュータプログラムであって、該コンピュータを、前記第１判定手段及び前記第１制御手段のうち少なくとも一部として機能させることを特徴とするコンピュータプログラム。
【発明の詳細な説明】
【技術分野】
【０００１】
本発明は、例えばＤＶＤプレーヤやＢｌｕ−ｒａｙ  Ｄｉｓｃプレーヤ等の情報再生装置及び方法、並びにコンピュータをこのような情報再生装置として機能させるコンピュータプログラムの技術分野に関する。
【背景技術】
【０００２】
ＤＶＤには、記録されたコンテンツの再生可能地域を限定するためのリージョンコードが割り当てられている。具体的には、全世界を６つの地域に分割し（航空機を一つの地域とすると７つの地域に分割し）、夫々の地域に固有のリージョンコードが規定されており、ＤＶＤには、１つの又は複数のリージョンコードが割り当てられる。更に、ＤＶＤを再生するためのＤＶＤプレーヤにも、１つのリージョンコードが割り当てられる。そして、ＤＶＤに割り当てられたリージョンコードと、ＤＶＤプレーヤに割り当てられたリージョンコードとが一致した場合にのみ、ＤＶＤプレーヤはＤＶＤに記録されたコンテンツを再生することができる。例えば、日本国内で販売されているＤＶＤ及びＤＶＤプレーヤは、共にリージョンコード“２”が割り当てられている。このため、日本国内で販売されているＤＶＤに記録されたコンテンツは、日本国内で販売されているＤＶＤプレーヤを用いて再生することができる。他方で、アメリカ国内で販売されているＤＶＤにはリージョンコード“１”が割り当てられている。このため、アメリカ国内で販売されているＤＶＤに記録されたコンテンツは、日本国内で販売されているＤＶＤプレーヤを用いて再生することはできない。このようなＤＶＤの再生制御は、ＲＰＣ（Region Playback Control）と称されている（特許文献１参照）。【０００３】
ところで近年、ＤＶＤよりも大容量の記録容量を有するＢｌｕ−ｒａｙ  Ｄｉｓｃの開発が進められている。Ｂｌｕ−ｒａｙ  Ｄｉｓｃでは、青色レーザ光を用いてデータが記録及び再生され、その記録容量は、単一の記録層を有するＢｌｕ−ｒａｙ  Ｄｉｓｃで概ね２５ＧＢ、２つの記録層を有するＢｌｕ−ｒａｙ  Ｄｉｓｃで概ね５０ＧＢにも及ぶ。このため、Ｂｌｕ−ｒａｙ  Ｄｉｓｃは、ＨＤ（High Definition）コンテンツを記録したり、或いは多種多様な方式の音声コンテンツを記録したり、或いは多種多様な再生機能を付加することができる次世代の光ディスクとして脚光を浴びている。【０００４】
【特許文献１】特開平１１−１１０９１４号公報
【発明の開示】
【発明が解決しようとする課題】
【０００５】
このようなＢｌｕ−ｒａｙ  Ｄｉｓｃに対しても、ＤＶＤと同様にＲＰＣが導入されることが十分に想定され得る。このとき、Ｂｌｕ−ｒａｙ  Ｄｉｓｃにおけるリージョンコード割り当てのための地域の分割の態様と、ＤＶＤにおけるリージョンコード割り当てのための地域の分割の態様とが必ずしも一致するとは限らない。つまり、Ｂｌｕ−ｒａｙ  Ｄｉｓｃにおけるリージョンコードの割り当ての態様と、ＤＶＤにおけるリージョンコードの割り当ての態様とが必ずしも一致するとは限らない。【０００６】
他方で、ＤＶＤ規格に準拠した記録層（以降、適宜“ＤＶＤ層”と称する）とＢｌｕ−ｒａｙ  Ｄｉｓｃ規格に準拠した記録層（以降、適宜“Ｂｌｕ−ｒａｙ  Ｄｉｓｃ層”と称する）とが積層されるハイブリッド型の光ディスクのも、今後開発される可能性もある。このようなハイブリッド型の光ディスクでは、ＤＶＤ層とＢｌｕ−ｒａｙ  Ｄｉｓｃ層の夫々に、個別のリージョンコードが割り当てられ得る。より具体的には、ＤＶＤ層に対しては、ＤＶＤにおけるリージョンコードの割り当てに準拠してリージョンコードが割り当てられ、Ｂｌｕ−ｒａｙ  Ｄｉｓｃ層に対しては、Ｂｌｕ−ｒａｙ  Ｄｉｓｃにおけるリージョンコードの割り当てに準拠してリージョンコードが割り当てられ得る。【０００７】
しかしながら、上述したように、Ｂｌｕ−ｒａｙ  Ｄｉｓｃにおけるリージョンコードの割り当ての態様と、ＤＶＤにおけるリージョンコードの割り当ての態様とが必ずしも一致するとは限らない。この場合、ＤＶＤ層に割り当てられるリージョンコードと、Ｂｌｕ−ｒａｙ  Ｄｉｓｃ層に割り当てられるリージョンコードとが必ずしも一致するとは限らない。このため、リージョンコードが１つしか割り当てられないプレーヤでは、ＤＶＤ層に記録されたコンテンツ及びＢｌｕ−ｒａｙ  Ｄｉｓｃ層に記録されたコンテンツのいずれか一方を再生することができない状況が生じ得る。特に、例えばプレーヤがＢＤ層に記録されたコンテンツを再生することができないと判定した場合には、再生動作を終了させてしまうおそれもある。つまり、ＤＶＤ層に記録されたコンテンツであれば再生することができる状況であっても、ＢＤ層に割り当てられるリージョンコードのみを参照することで再生動作を終了させてしまいかねないという技術的な問題点が生じ得る。【０００８】
これは、ハイブリッド型の光ディスクの有用性を大きく減少させるものであり、好ましいとは言えない。【０００９】
本発明は、例えば上述した従来の問題点に鑑みなされたものであり、例えばリージョンコードが夫々に割り当てられる複数種類の記録層を備えるハイブリッド型の情報記録媒体を好適に再生することを可能とならしめる情報再生装置及び方法、並びにコンピュータをこのような情報再生装置として機能させるコンピュータプログラムを提供することを課題とする。
【課題を解決するための手段】
【００１０】
（情報再生装置）
上記課題を解決するために、本発明の情報再生装置は、第１の媒体リージョン情報が割り当てられる第１記録層（例えば、後述のＢＤ層）と、第２の媒体リージョン情報が割り当てられる第２記録層（例えば、後述のＤＶＤ層）とを備える情報記録媒体に記録された記録情報を再生する再生手段と、装置リージョン情報を格納する格納手段と、前記第１の媒体リージョン情報と前記装置リージョン情報とが一致しない場合に、前記第２の媒体リージョン情報と前記装置リージョン情報とが一致するか否かを判定する第１判定手段と、前記第２の媒体リージョン情報と前記装置リージョン情報とが一致すると判定された場合、前記第２記録層に記録された前記記録情報を再生するように前記再生手段を制御する第１制御手段とを備える。【００１１】
本発明の情報再生装置によれば、再生手段の動作により、情報記録媒体に記録された記録情報が再生される。本発明に係る情報記録媒体には、夫々に記録情報が記録される第１記録層と第２記録層とが積層されている。第１記録層と第２記録層とは、規格が異なる記録層（例えば、記録容量が異なる記録層）であることが好ましいが、規格が同一である記録層であってもよい。第１記録層には、第１記録層の規格に準拠した第１の媒体リージョン情報が割り当てられる。他方、第２記録層には、第２記録層の規格に準拠した第２の媒体リージョン情報が割り当てられる。また、本発明に係る再生装置は、装置リージョン情報を格納する格納手段を備えている。第１の媒体リージョン情報、第２のリージョン情報及び媒体リージョン情報の夫々は、ＲＰＣに用いられる。【００１２】
本発明では特に、第１判定手段の動作により、第１記録層に割り当てられている第１の媒体リージョン情報と装置リージョン情報とが一致しない場合（即ち、第１記録層に記録された記録情報を再生することができない場合）に、第２の媒体リージョン情報と装置リージョン情報とが一致するか否か（即ち、第２記録層に記録された記録情報を再生することがでるか否か）が判定される。第１判定手段による判定の結果、第２の媒体リージョン情報と装置リージョン情報とが一致すると判定された場合には、第１制御手段の動作により、第２記録層に記録された記録情報を再生するように再生手段が制御される。この結果、第２記録層に記録された記録情報が再生される。【００１３】
このように、本発明に係る情報再生装置によれば、第１の媒体リージョン情報と装置リージョン情報とが一致しないために第１記録層に記録された記録情報を再生することができない場合であっても、更に第２の媒体リージョン情報と装置リージョン情報とが一致するか否かを判定することで、第２記録層に記録された記録情報を再生することができる。このため、第１の媒体リージョン情報と装置リージョン情報とが一致しないことに起因して再生動作をそのまま終了してしまう不都合を好適に排除することができる。これにより、情報記録媒体に記録された記録情報を全く再生することができないという不都合を好適に排除することができる。【００１４】
以上説明したように、本発明に係る情報再生装置によれば、媒体リージョン情報が夫々に割り当てられる複数種類の記録層を備えるハイブリッド型の情報記録媒体を好適に再生することができる。【００１５】
本発明の情報再生装置の一の態様は、前記第１の媒体リージョン情報と前記装置リージョン情報とが一致するか否かを判定する第２判定手段と、前記第１の媒体リージョン情報が前記装置リージョン情報と一致すると判定された場合、前記第１記録層に記録された前記記録情報を再生するように前記再生手段を制御する第２制御手段とを更に備える。【００１６】
この態様によれば、第１の媒体リージョン情報と装置リージョン情報とが一致する場合には、第１記録層に記録された記録情報を再生することができる。【００１７】
上述の如く第２判定手段と第２制御手段とを備える情報再生装置の態様では、前記第１判定手段は、前記第２判定手段が前記第１の媒体リージョン情報と前記装置リージョン情報とが一致するか否かを判定した後に、前記第２の媒体リージョン情報と前記装置リージョン情報とが一致するか否かを判定するように構成してもよい。【００１８】
このように構成すれば、第１記録層に記録された記録情報を再生することができない場合に、第２記録層に記録された記録情報を再生することができるか否かが判定される。つまり、第１記録層に記録された記録情報を再生することができる場合には第１記録層に記録された記録情報が再生され、第１記録層に記録された記録情報を再生することができない場合に第２記録層に記録された記録情報を再生することができるか否かが判定される。これにより、情報記録媒体に記録された記録情報を好適に再生することができる。【００１９】
上述のごとく第２判定手段と第２制御手段とを備える情報再生装置の態様では、前記第２判定手段は、前記情報記録媒体に記録されるプログラムが当該情報再生装置上において実行されることにより実現されるように構成してもよい。【００２０】
このように構成すれば、情報記録媒体に記録されたプログラムが実行されることで、第１の媒体リージョン情報と装置リージョン情報とが一致するか否かが判定され、且つ第１の媒体リージョン情報が装置リージョン情報と一致すると判定された場合、第１記録層に記録された記録情報を再生するように再生手段が制御される。【００２１】
本発明の情報再生装置の他の態様は、前記第１記録層には、複数の前記第１の媒体リージョン情報が割り当てられ、前記第２記録層には、複数の前記第２の媒体リージョン情報が割り当てられ、前記第１判定手段は、前記複数の第１の媒体リージョン情報の夫々と前記装置リージョン情報とが一致しない場合に、前記複数の第２の媒体リージョン情報の少なくとも一つと前記装置リージョン情報とが一致するか否かを判定し、前記制御手段は、前記複数の第２の媒体リージョン情報の少なくとも一つと前記装置リージョン情報とが一致すると判定された場合、前記第２記録層に記録された前記記録情報を再生するように前記再生手段を制御する。【００２２】
この態様によれば、１つの記録層に複数の媒体リージョン情報が割り当てられた場合であっても、上述した各種効果を享受することができる。【００２３】
本発明の情報再生装置の他の態様は、前記第２の媒体リージョン情報と前記装置リージョン情報とが一致すると判定された場合に、前記第２記録層に記録された前記記録情報を再生するか否かを指示する指示手段を更に備え、前記第１制御手段は、前記第２記録層に記録された前記記録情報を再生すると指示された場合に、前記第２記録層に記録された前記記録情報を再生するように前記再生手段を制御する。【００２４】
この態様によれば、第２記録層に記録された記録情報を再生すると指示された場合に、第２記録層に記録された記録情報が再生される。例えば、第１記録層に記録された記録情報を再生することができない場合には、その旨を示す表示画面をユーザに対してユーザに提示し、ユーザが第２記録層に記録された記録情報の再生を望むことを指示手段を用いて指示した場合に、第２記録層に記録された記録情報が再生される。これにより、例えばユーザの所望の態様で、情報記録媒体に記録された記録情報を再生することができる。【００２５】
（情報再生方法）
上記課題を解決するために、本発明の情報再生方法は、第１の媒体リージョン情報が割り当てられる第１記録層と、第２の媒体リージョン情報が割り当てられる第２記録層とを備える情報記録媒体に記録された記録情報を再生する再生手段と、装置リージョン情報を格納する格納手段とを備える情報再生装置における情報再生方法であって、前記第１の媒体リージョン情報と前記装置リージョン情報とが一致しない場合に、前記第２の媒体リージョン情報と前記装置リージョン情報とが一致するか否かを判定する第１判定工程と、前記第２の媒体リージョン情報と前記装置リージョン情報とが一致すると判定された場合、前記第２記録層に記録された前記記録情報を再生するように前記再生手段を制御する第１制御工程とを備える。【００２６】
本発明の情報再生方法によれば、上述した本発明の情報再生装置が有する各種利益と同様の利益を享受することができる。【００２７】
尚、上述した本発明の情報再生装置における各種態様に対応して、本発明の情報再生方法も各種態様を採ることが可能である。【００２８】
（コンピュータプログラム）
上記課題を解決するために、本発明のコンピュータプログラムは、上述した本発明の情報再生装置（但し、各種態様を含む）に備えられたコンピュータを制御する再生制御用のコンピュータプログラムであって、該コンピュータを、前記第１判定手段及び前記第１制御手段のうち少なくとも一部として機能させる。【００２９】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置を比較的簡単に実現できる。【００３０】
尚、上述した本発明の情報再生装置における各種態様に対応して、本発明のコンピュータプログラムも各種態様を採ることが可能である。【００３１】
上記課題を解決するために、コンピュータ読取可能な媒体内のコンピュータプログラム製品は、上述した本発明の情報再生装置（但し、その各種態様を含む）に備えられたコンピュータにより実行可能なプログラム命令を明白に具現化し、該コンピュータを、前記第１判定手段及び前記第１制御手段のうち少なくとも一部として機能させる。【００３２】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置を比較的容易に実施可能となる。更に具体的には、当該コンピュータプログラム製品は、上述した本発明の情報再生装置として機能させるコンピュータ読取可能なコード（或いはコンピュータ読取可能な命令）から構成されてよい。【００３３】
本発明のこのような作用及び他の利得は次に説明する実施例から更に明らかにされよう。【００３４】
以上説明したように、本発明の情報再生装置によれば、再生手段と、格納手段と、第１判定手段と、第１制御手段とを備える。本発明の情報再生方法によれば、第１判定工程と、第１制御工程とを備える。本発明のコンピュータプログラムによれば、コンピュータを第１判定手段及び第１制御手段の少なくとも一部として機能させる。従って、例えばリージョンコードが夫々に割り当てられる複数種類の記録層を備えるハイブリッド型の情報記録媒体を好適に再生することができる。
【図面の簡単な説明】
【００３５】
【図１】本実施例に係る光ディスクの基本構造を示した概略平面図であり、該光ディスクの概略断面図である。
【図２】本実施例に係る情報再生装置の基本構成を概念的に示すブロック図である。
【図３】本実施例に係る情報再生装置の動作の流れを概念的に示すフローチャートである。
【図４】ＢＤ用リージョンコード、ＤＶＤ用リージョンコード及び機器リージョンコードの具体例を示す表である。
【符号の説明】
【００３６】
１００  光ディスク
１１０  ＢＤ用リージョンコード
１２０  ＤＶＤ用リージョンコード
２００  情報再生装置
２０２  ピックアップ
２０５  ＤＶＤ再生部
２０６  ＢＤ再生部
２３０  機器リージョンコード
Ｌ０  ＢＤ層
Ｌ１  ＤＶＤ層
【発明を実施するための最良の形態】
【００３７】
以下、本発明を実施するための最良の形態について実施例毎に順に図面に基づいて説明する。【００３８】
（１）情報記録媒体
初めに、図１を参照して、本発明の情報再生装置に係る実施例により再生される情報記録媒体に係る実施例としての光ディスク１００について説明を進める。ここに、図１（ａ）は、本実施例に係る光ディスク１００の基本構造を示した概略平面図であり、図１（ｂ）は、該光ディスク１００の概略断面図である。【００３９】
図１（ａ）に示されるように、光ディスク１００は、例えば、ＤＶＤと同じく直径１２ｃｍ程度のディスク本体上に、センターホール１０１を中心として、記録エリア１０２が形成されている。記録エリア１０２には、センターホール１０１を中止として、例えばリードインエリア（Lead-In Area）又はリードアウトエリア（Lead-Out Area）、ユーザデータエリア、並びにミドルエリア（Middle Area）が設けられていてもよい。【００４０】
特に、本実施例に係る光ディスク１００は、図１（ｂ）に示されるように、例えば、本発明における「第１記録層」の一具体例を構成するＢＤ（Ｂｌｕ−ｒａｙ  Ｄｉｓｃ）層Ｌ０及び本発明における「第１記録層」の一具体例を構成するＤＶＤ層Ｌ１が積層された構造をしている。ＢＤ層Ｌ０の表面は、保護層１０３により保護されている。このような２層型の光ディスク１００の記録再生時には、図１（ｂ）中、下側から上側に向かって照射されるレーザ光ＬＢの集光位置をいずれの記録層に合わせるかに応じて、ＢＤ層Ｌ１に記録されたデータの再生が行なわれるか又はＤＶＤ層Ｌ１に記録されたデータの再生が行われる。【００４１】
ＢＤ層Ｌ０は、Ｂｌｕ−ｒａｙ  Ｄｉｓｃ規格（以降、適宜“ＢＤ規格”と称する）に準拠した記録層であって、概ね２５ＧＢ程度のデータを記録することができる。ＢＤ層Ｌ０においては、光ディスク１００の表面から概ね０．１ｍｍの位置に記録膜が形成されている。ＢＤ層Ｌ０には、ＢＤ規格に準拠したＢＤ用リージョンコード１１０が記録されている。ＢＤ用リージョンコード１１０は、本発明における「第１の媒体リージョン情報」の一具体例を構成している。【００４２】
ＤＶＤ層Ｌ１は、ＤＶＤ規格に準拠した記録層であって、概ね４．７ＧＢ程度のデータを記録することができる。ＤＶＤ層Ｌ１においては、光ディスク１００の表面から概ね０．６ｍｍの位置に記録膜が形成されている。ＤＶＤ層Ｌ１には、ＤＶＤ規格に準拠したＤＶＤ用リージョンコード１２０が記録されている。ＤＶＤ用リージョンコード１２０は、本発明における「第２の媒体リージョン情報」の一具体例を構成している。【００４３】
尚、光ディスク１００が備える記録層として、上述のＢＤ層Ｌ０及びＤＶＤ層Ｌ１に限定されないことは言うまでもない。例えば、上述のＢＤ層Ｌ０及びＤＶＤ層Ｌ１のいずれか一方と、ＢＤ規格及びＤＶＤ規格とは異なる規格に準拠した記録層とを備える光ディスクであってもよいし、ＢＤ規格及びＤＶＤ規格とは異なる規格に準拠した記録層を２つ備える光ディスクであってもよい。但し、光ディスク１００が、ＢＤ規格及びＤＶＤ規格とは異なる規格に準拠した記録層を備える場合には、該異なる規格に準拠したリージョンコードが該記録層に記録されることが好ましい。【００４４】
また、２つ以上の更に複数の記録層を備える光ディスクであってもよい。例えば、ＢＤ層Ｌ０が２つ以上積層される光ディスクであってもよいし、ＤＶＤ層Ｌ１が２つ以上積層される光ディスクであってもよいし、ＢＤ層及びＤＶＤ層以外の記録層が２つ以上積層される光ディスクであってもよい。更には、一又は複数のＢＤ層Ｌ０、一又は複数のＤＶＤ層Ｌ１、並びにＢＤ層及びＤＶＤ層以外の一又は複数の記録層が適宜積層される光ディスクであってもよい。【００４５】
尚、後述する本実施例に係る情報再生装置２００（図２参照）により再生される光ディスクとしては、異なる規格に準拠した複数の記録層を備える光ディスク（つまり、図１を用いて説明した光ディスク１００であって、いわゆるハイブリッド型の光ディスク１００）と、同一の規格に準拠した複数の記録層を備える光ディスク及び単一の記録層を備える光ディスクが一具体例としてあげられる。そして、特に、異なる規格に準拠した複数の記録層を備える光ディスクを再生する際に、以下に詳述する動作（図３参照）を行うことで、以下に詳述する効果を享受することができる。【００４６】
（２）  情報再生装置の基本構成
続いて、図２を参照して、本実施例に係る情報再生装置２００の基本構成について説明を進める。ここに、図２は、本実施例に係る情報再生装置２００の基本構成を概念的に示すブロック図である。【００４７】
図２に示すように、情報再生装置２００は、スピンドルモータ２０１と、ピックアップ２０２と、復調部２０３と、スイッチ２０４と、ＤＶＤ再生部２０５と、ＢＤ再生部２０６と、システムコントローラ２０７と、外部出力制御部２０８と、メモリ２０９と、入力部２１０とを備えている。【００４８】
スピンドルモータ２０１は光ディスク１００を回転及び停止させるもので、光ディスク１００へのアクセス時に動作する。より詳細には、スピンドルモータ２０１は、図示しないスピンドルサーボユニット等によりスピンドルサーボを受けつつ所定速度で光ディスク１００を回転及び停止させるように構成されている。【００４９】
ピックアップ２０２は、光ディスク１００に記録されたデータの再生を行うために、例えば図示しない半導体レーザ素子と、コリメータレンズ及び対物レンズ等から構成される。より詳細には、光ピックアップ２０２は、光ディスク１００に対して、レーザ光ＬＢを所定のパワーで照射すると共に、該レーザ光ＬＢの反射光を受光する。受光された反射光に応じた受光信号は、復調部２０３へ出力される。【００５０】
特に、ピックアップ２０２は、ＢＤ層Ｌ０に記録されたデータの再生を行う際には、ＢＤ層Ｌ０にレーザ光ＬＢを集光させる。同様に、ピックアップ２０２は、ＤＶＤ層Ｌ１に記録されたデータの再生を行う際には、ＤＶＤ層Ｌ１にレーザ光ＬＢを集光させる。係る動作は、図示しないフォーカスサーボユニット等によりフォーカスサーボを受けることで行われる。【００５１】
復調部２０３は、ピックアップ２０２より出力される受光信号に対して復調処理を行うことで読取信号を生成し、該読取信号を、スイッチ２０４を介してＤＶＤ再生部２０５又はＢＤ再生部２０６へ出力する。また、復調部２０３は、読取信号を、図示しないスピンドルサーボユニットやフォーカスサーボユニット等に出力する。スピンドルサーボユニットやフォーカスサーボユニットは、読取信号に基づいて、スピンドルサーボやフォーカスサーボを生成する。【００５２】
スイッチ２０４は、復調部２０３から出力される読取信号の出力先を切り替える。具体的には、ＢＤ層Ｌ０に記録されたデータの再生を行う際には、スイッチ２０４は、復調部２０３から出力される読取信号がＢＤ再生部２０６へ出力されるように、出力先をＢＤ再生部２０６に切り替える。他方、ＤＶＤ層Ｌ１に記録されたデータの再生を行う際には、スイッチ２０４は、復調部２０３から出力される読取信号がＤＶＤ再生部２０５へ出力されるように、出力先をＤＶＤ再生部２０５に切り替える。【００５３】
ＤＶＤ再生部２０５は、スイッチ２０４を介して復調部２０３から入力される読取信号に対して、ＤＶＤ規格に応じた復号処理等を施すことで、再生信号を生成する。生成された再生信号は、外部出力制御部２０８へ出力される。【００５４】
ＢＤ再生部２０６は、スイッチ２０４を介して復調部２０３から入力される読取信号に対して、ＢＤ規格に応じた復号処理等を施すことで、再生信号を生成する。生成された再生信号は、外部出力制御部２０８へ出力される。【００５５】
尚、ピックアップ２０２、復調部２０３、ＤＶＤ再生部２０５及びＢＤ再生部２０６の組み合わせが、本発明における「再生手段」の一具体例を構成している。【００５６】
システムコントローラ２０７は、スピンドルモータ２０１と、ピックアップ２０２と、復調部２０３と、スイッチ２０４と、ＤＶＤ再生部２０５と、ＢＤ再生部２０６と、外部出力制御部２０８と、メモリ２０９と、入力部２１０と、データバスを介して接続され、各種制御手段に指示を行うことで、情報再生装置２００全体の制御を行う。通常、システムコントローラ２０７が動作するためのソフトウェア又はファームウェアは、メモリ２０９に格納されている。【００５７】
外部出力制御部２０８は、ＤＶＤ再生部２０５及びＢＤ再生部２０６から出力される再生信号を、例えばディスプレイやスピーカ等の外部出力機器へ出力する。これにより、光ディスク１００に記録された映像や音声等が、ディスプレイやスピーカ等の外部出力機器において再生される。【００５８】
メモリ２０９は、再生用のデータのバッファ領域や、情報再生装置２００において利用できるデータに変換する時の中間バッファとして使用される領域等を含んでおり、情報再生装置２００におけるデータ処理全般において使用される。また、メモリ２０９は情報再生装置２００としての動作を行うためのプログラム（即ち、ファームウェア）が格納されるＲＯＭ領域と、再生用のデータが一時的に格納される或いはファームウェアプログラム等の動作に必要な変数が格納されるＲＡＭ領域などから構成される。【００５９】
更に、メモリ２０９には、ＤＶＤ規格又はＢＤ規格に準拠して情報再生装置２００に割り当てられる機器リージョンコード２３０が格納されている。より具体的には、ＢＤ規格に準拠した機器リージョンコード（以下、適宜“ＢＤ用機器リージョンコード”と称する）２３０ａと、ＤＶＤ規格に準拠した機器リージョンコード（以下、適宜“ＤＶＤ用機器リージョンコード”と称する）２３０ｂとが格納されている。もちろん、情報再生装置２００がＢＤ層Ｌ０及びＤＶＤ層Ｌ１以外の記録層を備える光ディスクをローディングすることが想定される場合には、ＢＤ層Ｌ０及びＤＶＤ層Ｌ１以外の記録層の規格に準拠した機器リージョンコードが格納されていることが好ましい。尚、機器リージョンコード２３０は、本発明における「装置リージョン情報」の一具体例を構成している。【００６０】
入力部２１０は、本発明における「指示手段」の一具体例を構成しており、例えばリモコンや、タッチパネルや、操作ボタンや、キーボードや、マウス等を含んでおり、情報再生装置２００の外部からの指示を、当該情報再生装置２００に入力する。【００６１】
（３）  情報再生装置の動作原理
続いて、図３及び図４を参照して、本実施例に係る情報再生装置２００の動作原理について説明する。ここに、図３は、本実施例に係る情報再生装置２００の動作の流れを概念的に示すフローチャートであり、図４は、ＢＤ用リージョンコード１１０、ＤＶＤ用リージョンコード１２０及び機器リージョンコード２３０の具体例を示す表である。【００６２】
尚、本実施例に係る情報再生装置２００は、ローディングされた光ディスクがＢＤ層Ｌ０を備えている場合には、該ＢＤ層Ｌ０に記録されたデータを、他の記録層に記録されたデータよりも優先的に再生する構成を採用している。【００６３】
図３に示すように、初めに、情報再生装置２００にローディングされた光ディスクが、ハイブリッド型の光ディスク１００であるか否か（つまり、図１に示す光ディスク１００であるか否か）が判定される（ステップＳ１０１）。【００６４】
具体的には、情報再生装置２００は、まず、ローディングされた光ディスクがＢＤ層Ｌ０を備えているか否かを判定する。例えば、ローディングされた光ディスクの表面から０．１ｍｍの位置にレーザ光ＬＢを集光させ、レーザ光ＬＢの反射光に基づいて、光ディスクの表面から０．１ｍｍの位置に記録層が存在しているか否かを判定する。光ディスクの表面から０．１ｍｍの位置に記録層が存在していれば、光ディスクがＢＤ層Ｌ０を備えていると判定することができる。或いは、情報再生装置２００は、フォーカスサーボをオープンにしたままでレーザ光ＬＢを光ディスクに照射し、レーザ光ＬＢの反射光から生成されるフォーカスエラー信号に現れるＳ字カーブの位置に応じて、光ディスクがＢＤ層Ｌ０を備えているか否かを判定してもよい。フォーカスエラー信号に現れるＳ字カーブが、光ディスク１００の表面から０．１ｍｍの位置に現れている場合には、光ディスクがＢＤ層Ｌ０を備えていると判定することができる。【００６５】
その後、光ディスクがＢＤ層Ｌ０を備えていると判定された場合には、ＢＤ層Ｌ０に記録されているディスク種別データを読み取ることで、ローディングされた光ディスクがハイブリッド型の光ディスク１００であるか否かを判定することができる。ディスク種別データには、例えば、当該光ディスクが、ハイブリッド型の光ディスク１００であるのか否かを直接的に又は間接的に示すデータを含んでいる。【００６６】
ステップＳ１０１における判定の結果、ローディングされた光ディスクがハイブリッド型の光ディスク１００でないと判定された場合には（ステップＳ１０１：Ｎｏ）、ローディングされた光ディスクが、同一の規格に準拠した複数の記録層を備える光ディスク又は単一の記録層を備える光ディスクであると認識することができる。具体的には、ローディングされた光ディスクが、複数のＢＤ層Ｌ０を備える光ディスクであるか、単一のＢＤ層Ｌ０を備える光ディスクであるか、複数のＤＶＤ層Ｌ１を備える光ディスクであるか、又は単一のＤＶＤ層Ｌ１を備える光ディスクであると認識することができる。【００６７】
従って、単一の記録層又は複数の記録層のうちの少なくとも１つの記録層に記録されているリージョンコードと、機器リージョンコード２３０（具体的には、記録層の規格に準拠した機器リージョンコード）と一致するか否かを判定した後、一致すれば、光ディスクに記録されたデータが再生される（ステップＳ１０２）。【００６８】
他方、ステップＳ１０１における判定の結果、ローディングされた光ディスクがハイブリッド型の光ディスク１００であると判定された場合には（ステップＳ１０１：Ｙｅｓ）、続いて、ＢＤ層Ｌ０に記録されているＢＤ用リージョンコード１１０が取得される（ステップＳ１０３）。【００６９】
その後、本発明における「第２判定手段」の一具体例を構成するシステムコントローラ２０７の制御の下に（或いは、後述するように、システムコントローラ２０７上で動作するプログラムの制御の下に）、ステップＳ１０３において取得されたＢＤ用リージョンコード１１０と、機器リージョンコード２３０（具体的には、ＢＤ用機器リージョンコード２３０ａ）とが一致するか否かが判定される（ステップＳ１０４）。【００７０】
ステップＳ１０４における判定の結果、ＢＤ用リージョンコード１１０とＢＤ用機器リージョンコード２３０ａとが一致すると判定された場合には（ステップＳ１０４：Ｙｅｓ）、本発明における「第２制御手段」の一具体例を構成するシステムコントローラ２０７の制御の下に（或いは、後述するように、システムコントローラ２０７上で動作するプログラムの制御の下に）、ＢＤ層Ｌ０に記録されたデータが再生される（ステップＳ１０５）。【００７１】
尚、ステップＳ１０３、ステップＳ１０４及びステップＳ１０５における動作は、光ディスク１００に記録されている所定のプログラムが、システムコントローラ２０７上で動作することによって行われてもよい。つまり、光ディスク１００に記録されている所定のプログラムが主となってステップＳ１０３、ステップＳ１０４及びステップＳ１０５における動作を行ってもよい。【００７２】
他方、ステップＳ１０４における判定の結果、ＢＤ用リージョンコード１１０とＢＤ用機器リージョンコード２３０ａとが一致しないと判定された場合には（ステップＳ１０４：Ｎｏ）、続いて、ＤＶＤ層Ｌ１に記録されているＤＶＤ用リージョンコード１２０が取得される（ステップＳ１０６）。【００７３】
その後、本発明における「第１判定手段」の一具体例を構成するシステムコントローラ２０７の制御の下に、ステップＳ１０６において取得されたＤＶＤ用リージョンコード１２０と、機器リージョンコード２３０（具体的には、ＤＶＤ用機器リージョンコード２３０ｂ）とが一致するか否かが判定される（ステップＳ１０７）。【００７４】
ステップＳ１０７における判定の結果、ＤＶＤ用リージョンコード１２０とＤＶＤ用機器リージョンコード２３０ｂとが一致すると判定された場合には（ステップＳ１０７：Ｙｅｓ）、本発明における「第１制御手段」の一具体例を構成するシステムコントローラ２０７の制御の下に、ＤＶＤ層Ｌ１に記録されたデータが再生される（ステップＳ１０８）。【００７５】
他方、ステップＳ１０７における判定の結果、ＤＶＤ用リージョンコード１２０とＤＶＤ用機器リージョンコード２３０ｂとが一致しないと判定された場合には（ステップＳ１０７：Ｎｏ）、光ディスク１００に対する再生動作は行われない。この場合、リージョンコードが不一致である旨の警告画面を表示するように構成してもよい。【００７６】
続いて、具体的なリージョンコードを示して、本実施例に係る情報再生装置２００の動作について説明する。【００７７】
図４（ａ）に示すように、ＢＤ用機器リージョンコード２３０ａが“１”であり、ＤＶＤ用機器リージョンコード２３０ｂが“１”であり、ＢＤ用リージョンコード１１０が“１”であり、ＤＶＤ用リージョンコード１２０が“１”である場合について説明する。この場合、ＢＤ用機器リージョンコード２３０ａとＢＤ用リージョンコード１１０とが一致していると判定されるため、ＢＤ層Ｌ０に記録されたデータが再生される。【００７８】
但し、ＤＶＤ用機器リージョンコード２３０ｂとＤＶＤ用リージョンコード１２０とが一致しているため、例えばユーザの指示等があれば、ＤＶＤ層Ｌ１に記録されたデータが再生されるように構成してもよい。【００７９】
図４（ｂ）に示すように、ＢＤ用機器リージョンコード２３０ａが“１”であり、ＤＶＤ用機器リージョンコード２３０ｂが“１”であり、ＢＤ用リージョンコード１１０が“２”であり、ＤＶＤ用リージョンコード１２０が“１”である場合について説明する。この場合、ＢＤ用機器リージョンコード２３０ａとＢＤ用リージョンコード１１０とが一致していないと判定されるため、ＢＤ層Ｌ０に記録されたデータが再生されることはない。そして、ＢＤ用機器リージョンコード２３０ａとＢＤ用リージョンコード１１０とが一致していないと判定された後、ＤＶＤ用機器リージョンコード２３０ｂとＤＶＤ用リージョンコード１２０とが一致していると判定されるため、ＤＶＤ層Ｌ１に記録されたデータが再生される。【００８０】
図４（ｃ）に示すように、ＢＤ用機器リージョンコード２３０ａが“１”であり、ＤＶＤ用機器リージョンコード２３０ｂが“１”であり、ＢＤ用リージョンコード１１０が“１”であり、ＤＶＤ用リージョンコード１２０が“２”である場合について説明する。この場合、ＢＤ用機器リージョンコード２３０ａとＢＤ用リージョンコード１１０とが一致していると判定されるため、ＢＤ層Ｌ０に記録されたデータが再生される。【００８１】
また、ＤＶＤ用機器リージョンコード２３０ｂとＤＶＤ用リージョンコード１２０とが一致していないため、例えばユーザの指示等があったとしても、ＤＶＤ層Ｌ１に記録されたデータが再生されることはない。【００８２】
尚、ＢＤ層Ｌ０は、複数のＢＤ用リージョンコード１１０が記録されるように構成してもよい。同様に、ＤＶＤ層Ｌ１は、複数のＤＶＤ用リージョンコード１２０が記録されるように構成してもよい。この場合、ＢＤ用機器リージョンコード２３０ａと複数のＢＤ用リージョンコード１１０のうちの少なくとも１つとが一致すると判定されれば、ＢＤ層Ｌ０に記録されたデータが再生される。ＢＤ用機器リージョンコード２３０ａと複数のＢＤ用リージョンコード１１０の夫々とが一致しないと判定されれば、ＤＶＤ用機器リージョンコード２３０ｂと複数のＤＶＤ用リージョンコード１２０のうちの少なくとも１つとが一致するか否かが判定される。ＤＶＤ用機器リージョンコード２３０ｂと複数のＤＶＤ用リージョンコード１２０のうちの少なくとも１つとが一致すると判定された場合には、ＤＶＤ層Ｌ１に記録されたデータが再生される。他方、ＤＶＤ用機器リージョンコード２３０ｂと複数のＤＶＤ用リージョンコード１２０の夫々とが一致しないと判定された場合には、再生動作が終了する。【００８３】
例えば、図４（ｄ）に示すように、ＢＤ用機器リージョンコード２３０ａが“２”であり、ＤＶＤ用機器リージョンコード２３０ａが“２”であり、ＢＤ用リージョンコード１１０が“１”及び“３”であり、ＤＶＤ用リージョンコード１２０が“２”及び“３”である場合について説明する。この場合、ＢＤ用機器リージョンコード２３０ａと複数のＢＤ用リージョンコード１１０の夫々とが一致していないと判定されるため、ＢＤ層Ｌ０に記録されたデータが再生されることはない。そして、ＢＤ用機器リージョンコード２３０ａと複数のＢＤ用リージョンコード１１０の夫々とが一致していないと判定された後、ＤＶＤ用機器リージョンコード２３０ｂと複数のＤＶＤ用リージョンコード１２０のうちの１つ（具体的には、コード“２”）とが一致していると判定されるため、ＤＶＤ層Ｌ１に記録されたデータが再生される。【００８４】
また、上述した図４（ａ）から図４（ｄ）では、ＢＤ用機器リージョンコード２３０ａとＤＶＤ用機器リージョンコード２３０ｂとが同一の場合の具体例について説明したが、ＢＤ用機器リージョンコード２３０ａとＤＶＤ用機器リージョンコード２３０ｂとが異なる値を有していてもよいことは言うまでもない。【００８５】
例えば、図４（ｅ）に示すように、ＢＤ用機器リージョンコード２３０ａが“３”であり、ＤＶＤ用機器リージョンコード２３０ｂが“１”であり、ＢＤ用リージョンコード１１０が“１”であり、ＤＶＤ用リージョンコード１２０が“１”である場合について説明する。この場合、ＢＤ用機器リージョンコード２３０ａとＢＤ用リージョンコード１１０とが一致していないと判定されるため、ＢＤ層Ｌ０に記録されたデータが再生されることはない。そして、ＢＤ用機器リージョンコード２３０ａとＢＤ用リージョンコード１１０とが一致していないと判定された後、ＤＶＤ用機器リージョンコード２３０ｂとＤＶＤ用リージョンコード１２０とが一致していると判定されるため、ＤＶＤ層Ｌ１に記録されたデータが再生される。【００８６】
以上説明したように、本実施例に係る情報再生装置２００によれば、ＢＤ用リージョンコード１１０とＢＤ用機器リージョンコード２３０ａとが一致しないためにＢＤ層Ｌ０に記録されたデータを再生することができない場合であっても、更にＤＶＤ用リージョンコード１２０とＤＶＤ用機器リージョンコード２３０ｂとが一致するか否かを判定することで、ＤＶＤ層Ｌ１に記録されたデータを再生することができる。言い換えれば、ＢＤ層Ｌ０に記録されたデータを再生することができない場合には、いわば自動的にＤＶＤ層Ｌ１に記録されたデータを再生することができるか否かが判定される。このため、ＢＤ用リージョンコード１１０とＢＤ用機器リージョンコード２３０ａとが一致しないことに起因して再生動作をそのまま終了してしまう不都合を好適に排除することができる。これにより、ハイブリッド型の光ディスク１００に記録されたデータを全く再生することができないという不都合を好適に排除することができる。つまり、本実施例に係る情報再生装置２００によれば、リージョンコードが夫々に割り当てられる複数種類の記録層を備えるハイブリッド型の光ディスク１００を好適に再生することができる。【００８７】
更に、ＢＤ用リージョンコード１１０とＢＤ用機器リージョンコード２３０ａとが一致していないと判定された後に、ＤＶＤ用リージョンコード１２０とＤＶＤ用機器リージョンコード２３０ｂとが一致しているか否かが判定される。つまり、原則としてＢＤ層Ｌ０に記録されたデータを再生するが、ＢＤ層Ｌ０に記録されたデータを再生することができない場合に、ＤＶＤ層Ｌ１に記録されたデータを再生することができるか否かが判定される。このため、ユーザは、原則としてＢＤ層Ｌ０に記録されるＨＤ（High Definition）コンテンツ等の高品質のコンテンツを視聴することができる一方で、該高品質のコンテンツを視聴することができない場合にＤＶＤ層Ｌ１に記録されるＳＤ（Standard Definition）コンテンツ等の標準品質のコンテンツを視聴することができる。【００８８】
尚、図３のステップＳ１０４において、ＢＤ用リージョンコード１１０とＢＤ用機器リージョンコード２３０ａとが一致しないと判定された場合には、ＤＶＤ層Ｌ１に記録されているＤＶＤ用リージョンコード１２０が取得される前に、ＢＤ用リージョンコード１１０とＢＤ用機器リージョンコード２３０ａとが一致しない旨を示す警告画面を表示するように構成してもよい。言い換えれば、ＢＤ層Ｌ０に記録されたデータを再生することができない旨を示す警告画面を表示するように構成してもよい。【００８９】
このとき、ＤＶＤ層Ｌ１に記録されたデータを再生するか否かの判定をユーザに求める表示画面を更に表示するように構成してもよい。そして、ユーザが、入力部２１０を用いて、ＤＶＤ層Ｌ１に記録されたデータを再生する指示を行った場合に、ＤＶＤ層Ｌ１に記録されているＤＶＤ用リージョンコード１２０が取得されるように構成してもよい。他方、ユーザが、入力部２１０を用いて、ＤＶＤ層Ｌ１に記録されたデータを再生しない指示を行った場合には、ＤＶＤ層Ｌ１に記録されているＤＶＤ用リージョンコード１２０が取得されることなく、再生動作を終了するように構成してもよい。これにより、ユーザがＤＶＤ層Ｌ１に記録されたデータの再生を望まない場合に再生動作を継続する必要がなくなる。【００９０】
尚、上述の実施例では、情報記録媒体の一例として光ディスク１００、並びに情報再生装置の一例として光ディスク１００に係るプレーヤについて説明したが、本発明は、光ディスク及びそのプレーヤに限られるものではなく、他の高密度記録或いは高転送レート対応の各種情報記録媒体並びにそのプレーヤにも適用可能である。【００９１】
本発明は、上述した実施例に限られるものではなく、請求の範囲及び明細書全体から読み取れる発明の要旨或いは思想に反しない範囲で適宜変更可能であり、そのような変更を伴なう情報再生装置及び方法、並びにコンピュータプログラムもまた本発明の技術的範囲に含まれるものである。
【産業上の利用可能性】
【００９２】
本発明に係る情報再生装置及び方法、並びにコンピュータプログラムは、例えばＤＶＤプレーヤやＢｌｕ−ｒａｙ  Ｄｉｓｃプレーヤ等の情報再生装置に利用可能である。また、例えば民生用或いは業務用の各種コンピュータ機器に搭載される又は各種コンピュータ機器に接続可能な情報再生装置等にも利用可能である。
【図１】
2007119813.tif 000003
【図２】
2007119813.tif 000004
【図３】
2007119813.tif 000005
【図４】
2007119813.tif 000006
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
第１の媒体リージョン情報が割り当てられる第１記録層と、第２の媒体リージョン情報が割り当てられる第２記録層とを備える情報記録媒体に記録された記録情報を再生する再生手段と、
装置リージョン情報を格納する格納手段と、
前記第１の媒体リージョン情報と前記装置リージョン情報とが一致しない場合に、前記第２の媒体リージョン情報と前記装置リージョン情報とが一致するか否かを判定する第１判定手段と、
前記第２の媒体リージョン情報と前記装置リージョン情報とが一致すると判定された場合、前記第２記録層に記録された前記記録情報を再生するように前記再生手段を制御する第１制御手段と
を備えることを特徴とする情報再生装置。
【請求項２】
前記第１の媒体リージョン情報と前記装置リージョン情報とが一致するか否かを判定する第２判定手段と、
前記第１の媒体リージョン情報が前記装置リージョン情報と一致すると判定された場合、前記第１記録層に記録された前記記録情報を再生するように前記再生手段を制御する第２制御手段と
を更に備えることを特徴とする請求の範囲第１項に記載の情報再生装置。
【請求項３】
前記第１判定手段は、前記第２判定手段が前記第１の媒体リージョン情報と前記装置リージョン情報とが一致するか否かを判定した後に、前記第２の媒体リージョン情報と前記装置リージョン情報とが一致するか否かを判定することを特徴とする請求の範囲第２項に記載の情報再生装置。
【請求項４】
前記第２判定手段は、前記情報記録媒体に記録されるプログラムが当該情報再生装置上において実行されることにより実現されることを特徴とする請求の範囲第２項に記載の情報再生装置。
【請求項５】
前記第１記録層には、複数の前記第１の媒体リージョン情報が割り当てられ、前記第２記録層には、複数の前記第２の媒体リージョン情報が割り当てられ、
前記第１判定手段は、前記複数の第１の媒体リージョン情報の夫々と前記装置リージョン情報とが一致しない場合に、前記複数の第２の媒体リージョン情報の少なくとも一つと前記装置リージョン情報とが一致するか否かを判定し、
前記第１制御手段は、前記複数の第２の媒体リージョン情報の少なくとも一つと前記装置リージョン情報とが一致すると判定された場合、前記第２記録層に記録された前記記録情報を再生するように前記再生手段を制御することを特徴とする請求の範囲第１項に記載の情報再生装置。
【請求項６】
前記第２の媒体リージョン情報と前記装置リージョン情報とが一致すると判定された場合に、前記第２記録層に記録された前記記録情報を再生するか否かを指示する指示手段を更に備え、
前記第１制御手段は、前記第２記録層に記録された前記記録情報を再生すると指示された場合に、前記第２記録層に記録された前記記録情報を再生するように前記再生手段を制御することを特徴とする請求の範囲第１項に記載の情報再生装置。
【請求項７】
第１の媒体リージョン情報が割り当てられる第１記録層と、第２の媒体リージョン情報が割り当てられる第２記録層とを備える情報記録媒体に記録された記録情報を再生する再生手段と、装置リージョン情報を格納する格納手段とを備える情報再生装置における情報再生方法であって、
前記第１の媒体リージョン情報と前記装置リージョン情報とが一致しない場合に、前記第２の媒体リージョン情報と前記装置リージョン情報とが一致するか否かを判定する第１判定工程と、
前記第２の媒体リージョン情報と前記装置リージョン情報とが一致すると判定された場合、前記第２の記録層に記録された前記記録情報を再生するように前記再生手段を制御する第１制御工程と
を備えることを特徴とする情報再生方法。
【請求項８】
請求の範囲第１項に記載の情報再生装置に備えられたコンピュータを制御する再生制御用のコンピュータプログラムであって、該コンピュータを、前記第１判定手段及び前記第１制御手段のうち少なくとも一部として機能させることを特徴とするコンピュータプログラム。
【国際調査報告】
2007119813.tif 000007
2007119813.tif 000008